(57)【要約】【課題】  伝送される制御データ量が少ない無線伝送装置を提供する。【解決手段】  このＡＶ無線伝送機器は、リモコン信号受光部７で生成された電気信号からリモコン命令コードおよび波形特徴情報を多重したリモコンコードを生成し、生成したリモコンコードを無線信号に変換して送信する無線送受信機６と、受信した無線信号からリモコンコードを抽出して赤外線信号に変換する無線送受信機４とを備える。したがって、サンプリングした波形情報をそのまま伝送していた従来に比べ、制御データ量が少なくて済む。【選択図】        図１
2005277942.tif 000002
【特許請求の範囲】
【請求項１】
映像信号源と映像表示装置とをワイヤレスで結合する無線伝送装置であって、
前記映像表示装置側に設けられ、前記リモコンから出射された赤外線信号を受信して電気信号に変換するリモコン信号受光部、
前記リモコン信号受光部で生成された電気信号からリモコン命令とリモコン波形の特徴を抽出し、抽出したリモコン命令とリモコン波形の特徴とを多重したリモコンコードを生成するコード化部、
前記コード化部で生成されたリモコンコードを第１の無線信号に変換して送信する第１の送信部、
前記映像信号源側に設けられ、前記第１の送信部から送信された第１の無線信号を受信し、受信した第１の無線信号から前記リモコンコードを抽出する第１の受信部、
前記第１の受信部によって抽出されたリモコンコードをデコードして前記リモコン命令と前記リモコン波形の特徴とを再生し、再生した前記リモコン命令と前記リモコン波形の特徴とに基づいて前記電気信号を再生するデコード部、
前記デコード部で再生された電気信号に応答して前記映像信号源に赤外線信号を出射するリモコン信号発光部、
前記リモコン信号発光部から出射された赤外線信号に応答して前記映像信号源から出力された映像信号を第２の無線信号に変換して送信する第２の送信部、および
前記映像表示装置側に設けられ、前記第２の送信部から送信された第２の無線信号を受信し、受信した第２の無線信号から前記映像信号を抽出して前記映像表示装置に与える第２の受信部を備える、無線伝送装置。
【発明の詳細な説明】
【技術分野】
【０００１】
この発明は無線伝送装置に関し、特に、映像信号源と映像表示装置とをワイヤレスで結合する無線伝送装置に関する。
【背景技術】
【０００２】
近年、チューナ、ビデオ、ＤＶＤなどの映像信号源と、液晶テレビ、プラズマテレビなどの映像表示装置とをワイヤレスで結合するＡＶ無線伝送機器が開発されている（図１参照）。このＡＶ無線伝送機器では、リモートコントローラ（以下、リモコンと称す）から映像表示装置に向けて出射された赤外線信号は、無線信号に変換されて映像信号源側に送信されるとともに、映像信号源から出力された映像信号は無線信号に変換されて映像表示装置側に送信される。したがって、視聴者は、映像表示装置と映像信号源が異なる場所に配置されている場合でも、映像表示装置に向けてリモコンを操作することにより、映像信号源を制御することができる（たとえば特許文献１参照）。
【特許文献１】特開２００３−１７９７７４号公報
【発明の開示】
【発明が解決しようとする課題】
【０００３】
しかし、従来のＡＶ無線伝送機器では、リモコンから出射された赤外線信号を電気信号に変換し、その電気信号の最小パルス幅の複数分の１の周期でサンプリングし、サンプリングした波形情報を無線信号に変換していたので、映像表示装置側から映像信号源側に伝送される制御データ量が大きいという問題があった。ＡＶ無線伝送では、送受信できるデータ量が有限であるので、制御データ量が大きくなると映像信号源側から映像表示装置側に伝送されるＡＶデータ量が圧迫され、画像品質が劣化する。
【０００４】
それゆえに、この発明の主たる目的は、伝送される制御データ量が少ない無線伝送装置を提供することである。
【課題を解決するための手段】
【０００５】
この発明に係る無線伝送装置は、映像信号源と映像表示装置とをワイヤレスで結合する無線伝送装置であって、映像表示装置側に設けられ、リモコンから出射された赤外線信号を受信して電気信号に変換するリモコン信号受光部と、リモコン信号受光部で生成された電気信号からリモコン命令とリモコン波形の特徴を抽出し、抽出したリモコン命令とリモコン波形の特徴とを多重したリモコンコードを生成するコード化部と、コード化部で生成されたリモコンコードを第１の無線信号に変換して送信する第１の送信部と、映像信号源側に設けられ、第１の送信部から送信された第１の無線信号を受信し、受信した第１の無線信号からリモコンコードを抽出する第１の受信部と、第１の受信部によって抽出されたリモコンコードをデコードしてリモコン命令とリモコン波形の特徴とを再生し、再生したリモコン命令とリモコン波形の特徴とに基づいて電気信号を再生するデコード部と、デコード部で再生された電気信号に応答して映像信号源に赤外線信号を出射するリモコン信号発光部と、リモコン信号発光部から出射された赤外線信号に応答して映像信号源から出力された映像信号を第２の無線信号に変換して送信する第２の送信部と、映像表示装置側に設けられ、第２の送信部から送信された第２の無線信号を受信し、受信した第２の無線信号から映像信号を抽出して映像表示装置に与える第２の受信部とを備えたものである。
【発明の効果】
【０００６】
この発明に係る無線信号伝送装置では、リモコンから出射された赤外線信号からリモコン命令とリモコン波形の特徴を抽出し、それらを多重したリモコンコードを生成し、生成したリモコンコードを無線信号に変換して送信する。したがって、サンプリングした波形情報をそのまま無線信号に変換していた従来に比べ、伝送される制御データ量が小さくて済む。
【発明を実施するための最良の形態】
【０００７】
図１は、この発明の一実施の形態によるＡＶ無線伝送機器の構成を示すブロック図である。図１において、このＡＶ無線伝送機器は、チューナ１、ビデオ２およびＤＶＤ３に接続された無線送受信機４と、液晶テレビ５に接続された無線送受信機６と、液晶テレビ５の画面の周辺部に設けられたリモコン信号受光部７とを備える。視聴者の手元には、それぞれチューナ１、ビデオ２およびＤＶＤ３用のリモコン１１，１２，１３が配置される。
【０００８】
リモコン信号受光部７は、リモコン１１，１２，１３から出射された赤外線信号を電気信号に変換する。無線送受信機６は、リモコン信号受光部７で生成された電気信号からリモコンコードを生成し、生成したリモコンコードを無線信号に変換して送信する送信部と、無線送受信機４から送信された無線信号を受信し、受信した無線信号から映像信号を抽出して液晶テレビ５に与える受信部とを含む。
【０００９】
無線送受信機４は、無線送受信機６から送信された無線信号を受信し、受信した無線信号からリモコンコードを抽出し、抽出したリモコンコードを赤外線信号に変換してチューナ１、ビデオ２およびＤＶＤ３のリモコン信号受光部に出射する受信部と、チューナ１、ビデオ２およびＤＶＤ３のうちのいずれかの機器から出力された映像信号を無線信号に変換して送信する送信部とを含む。
【００１０】
無線送受信機６から無線送受信機４へ制御データが伝送され、無線送受信機４から無線送受信機６へＡＶデータが伝送される。視聴者は、液晶テレビ５の画面を見ながら画面に向けてリモコン１１，１２，１３を操作することにより、それぞれチューナ１、ビデオ２およびＤＶＤ３を制御して所望の映像を見ることができる。
【００１１】
図２は、図１に示したＡＶ無線伝送機器のうちの制御データの送受信に関連する部分を詳細に示すブロック図である。図２において、無線送受信機６は、リモコン波形解析部２０、波形特徴検出部２１、リモコン波形コード化部２２、およびデータ送信部２３を含み、無線送受信機４は、データ受信部２４、受信データ解析部２５、波形特徴データベース２６、リモコン波形再生部２７、およびリモコン信号発光部２８を含む。
【００１２】
たとえばビデオ２用のリモコン１２から出射された赤外線信号は、リモコン信号受光部７に入射される。この赤外線信号には、８ビットのデータからなるリモコン命令コードが含まれている。ビデオ２の各操作命令には、固有のリモコン命令コードが予め割り当てられている。たとえば、「電源オン」「停止」「巻き戻し」「再生」「早送り」「録画」のそれぞれに、固有のリモコン命令コードが割り当てられている。リモコン信号受光部７は、リモコン１２からの赤外線信号を電気信号に変換してリモコン波形解析部２０に与える。リモコン波形解析部２０は、リモコン信号受光部７から与えられた電気信号からリモコン命令コードを抽出する。
【００１３】
詳しく説明すると、リモコン信号受光部７で生成される電気信号は、図３に示すように、パルス信号列で構成されている。リモコン波形解析部２０は、最小パルス幅の複数分の１の周期で電気信号のレベルをサンプリングする。たとえばリモコン波形解析部２０は、波形情報において「Ｌ」レベルが３３回または３４回連続した後に「Ｈ」レベルが１４回または１５回連続した場合は「リーダーコード」が入力されたとみなし、「Ｌ」レベルが４回または５回連続した後に「Ｈ」レベルが１４回または１５回連続した場合はデータ「１」が入力されたとみなし、「Ｌ」レベルが４回または５回連続した後に「Ｈ」レベルが４回または５回連続した場合はデータ「０」が入力されたとみなし、「Ｌ」レベルが４回または５回連続したのみの場合は「ストップビット」が入力されたとみなす。「リーダーコード」と「ストップビット」の間の８ビットのデータがリモコン命令コードを構成している。リモコン波形解析部２０は、このリモコン命令コードを抽出してリモコン波形コード化部２２に与えるとともに、リモコン信号受光部７で生成された電気信号の波形情報を波形特徴検出部２１に与える。
【００１４】
波形特徴検出部２１は、リモコン信号解析部２０からの波形情報に基づいて電気信号の波形（リモコン波形）の特徴を検出し、検出した波形特徴情報をリモコン波形コード化部２２に与える。図４に、代表的な４つの方式Ａ〜Ｄの電気信号波形を示す。４つの方式Ａ〜Ｄの電気信号波形は、それぞれ特徴を有する。たとえばリーダーコードが有ったり無かったり、リーダーコードが有ってもその長さが異なったり、パルスの幅や数が異なったりする。また、同じ命令でもコードの種類が異なったり、制御対象機器の種類、製造メーカなどにより、異なった方式が採用されている。
【００１５】
図２に戻って、リモコン波形コード化部２２は、リモコン波形解析部２０からのリモコン命令コードと波形特徴検出部２１からの波形特徴情報とを多重したリモコンコードを生成し、生成したリモコンコードをデータ送信部２３に与える。生成されたリモコンコードは、データ送信部２３で無線信号に変換されて無線送受信機４のデータ受信部２４に送信される。
【００１６】
データ受信部２４は、データ送信部２３から送信された無線信号を受信し、受信した無線信号からリモコンコードを抽出し、抽出したリモコンコードを受信データ解析部２５に与える。受信データ解析部２５は、データ受信部２４から与えられたリモコンコードに基づいてリモコン命令コードおよび波形特徴情報を再生し、再生したリモコン命令コードおよび波形特徴情報をそれぞれリモコン波形再生部２７および波形特徴データベース２６に与える。
【００１７】
波形特徴データベース２６は、受信データ解析部２５からの波形特徴情報に応答して詳細波形特徴をリモコン波形再生部２７に与える。リモコン波形再生部２７は、受信データ解析部２５からのリモコン命令コードと波形特徴データベース２６からの詳細波形特徴とに基づいてリモコン信号受光部７の出力電気信号を再生し、再生した電気信号をリモコン信号発光部２８に与える。この電気信号は、リモコン信号発光部２８によって赤外線信号に変換され、ビデオ２のリモコン信号受光部に照射される。ビデオ２は、赤外線信号に応答してたとえば再生動作を行い、再生した映像信号を無線送受信機４に出力する。
【００１８】
この実施の形態では、サンプリングした波形情報をそのまま伝送するのではなく、オリジナルなリモコンコードに変換して伝送するので、制御データ量を大幅に削減することができる。したがって、制御データによってＡＶデータが圧迫されるのを防止することができ、良好な映像を見ることができる。
【００１９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２０】
【図１】この発明の一実施の形態によるＡＶ無線伝送機器の構成を示すブロック図である。
【図２】図１に示したＡＶ無線伝送機器のうちの制御データの伝送に関連する部分を示すブロック図である。
【図３】図２に示したリモコン波形解析部の動作を説明するためのタイムチャートである。
【図４】図２に示したリモコン特徴検出部の動作を説明するためのタイムチャートである。
【符号の説明】
【００２１】
１  チューナ、２  ビデオ、３  ＤＶＤ、４，６  無線送受信機、５  液晶テレビ、７  リモコン信号受光部、１１〜１３  リモコン、２０  リモコン波形解析部、２１  波形特徴検出部、２２  リモコン波形コード化部、２３  データ送信部、２４  データ受信部、２５  受信データ解析部、２６  波形特徴データベース、２７  リモコン波形再生部、２８  リモコン信号発光部。
【図１】
2005277942.tif 000003
【図２】
2005277942.tif 000004
【図３】
2005277942.tif 000005
【図４】
2005277942.tif 000006